(57)【要約】【課題】本発明は、タッチ感知素子を表示装置の内部に形成して厚さを低下させ、耐久性を向上させた自己キャパシタンス方式インセル型タッチスクリーン一体型表示装置を提供する。【解決手段】本発明のタッチスクリーン一体型表示装置は、複数の電極及び前記複数の電極に共通電圧を印加するディスプレイドライバＩＣを含むパネル;タッチスキャン信号を生成して前記ディスプレイドライバＩＣに印加するタッチＩＣ;上記複数の電極を前記ディスプレイドライバＩＣに第１方向に接続する複数の第１接続配線;及び前記複数の電極それぞれと接続され、前記第１方向と反対方向である第２方向に延長されて前記パネルの終端に接している複数の第２接続配線を含み、前記ディスプレイドライバＩＣは、前記パネルの駆動モードに応じて前記複数の第１接続配線を通じて前記複数の電極に前記共通電圧または前記タッチスキャン信号を印加することを特徴とする。【選択図】図１
2014164752.tif 000002
【特許請求の範囲】
【請求項１】
複数の電極及び前記複数の電極に共通電圧を印加するディスプレイドライバＩＣを含むパネル;
タッチスキャン信号を生成して前記ディスプレイドライバＩＣに印加するタッチＩＣ;
前記複数の電極を前記ディスプレイドライバＩＣに第１方向に接続する複数の第１接続配線;及び
前記複数の電極それぞれと接続され、前記第１方向と反対方向である第２方向に延長されて前記パネルの終端に接している複数の第２接続配線を含み、
前記ディスプレイドライバＩＣは、前記パネルの駆動モードに応じて前記複数の第１接続配線を通じて前記複数の電極に前記共通電圧または前記タッチスキャン信号を印加することを特徴とするタッチスクリーン一体型表示装置。
【請求項２】
前記パネルは表示領域と非表示領域に区分されており、前記複数の電極は前記表示領域に形成され、前記ディスプレイドライバＩＣは前記非表示領域に形成されることを特徴とする請求項１に記載のタッチスクリーン一体型表示装置。
【請求項３】
前記ディスプレイドライバＩＣは、前記パネルの駆動モードがディスプレイ駆動モードである場合は前記複数の電極に前記共通電圧を印加し、前記パネルの駆動モードがタッチ駆動モードである場合は前記複数の電極に前記タッチスキャン信号を印加することを特徴とする請求項１に記載のタッチスクリーン一体型表示装置。
【請求項４】
前記ディスプレイドライバＩＣは、
前記共通電圧を生成する共通電圧生成部;
前記ディスプレイ駆動モードまたは前記タッチ駆動モードを示す同期信号を生成する同期信号生成部;
前記同期信号に応じて前記共通電圧生成部と前記複数の電極を接続したり、前記タッチＩＣと前記複数の電極を接続するスイッチング部を含む請求項３に記載のタッチスクリーン一体型表示装置。
【請求項５】
前記タッチＩＣは、
前記タッチスキャン信号を生成するタッチスキャン信号生成部;及び
前記タッチスキャン信号によるパネル内のタッチ入力位置を感知するタッチ感知部を含む請求項１に記載のタッチスクリーン一体型表示装置。
【請求項６】
複数の電極及びディスプレイドライバＩＣを含むパネル;
タッチスキャン信号を生成して前記複数の電極に印加するタッチＩＣ;
前記複数の電極を前記タッチＩＣに第１方向に接続する複数の第１接続配線;及び
前記複数の電極それぞれと接続され、前記第１方向と反対方向である第２方向に延長されて前記パネルの終端に接している複数の第２接続配線を含み、
前記ディスプレイドライバＩＣは上記タッチＩＣに共通電圧を印加し、前記タッチＩＣは前記パネルの駆動モードに応じて前記複数の第１接続配線を通じて前記複数の電極に前記共通電圧または前記タッチスキャン信号を印加することを特徴とするタッチスクリーン一体型表示装置。
【請求項７】
前記パネルは表示領域と非表示領域に区分されており、前記複数の電極は前記表示領域に形成され、前記ディスプレイドライバＩＣは前記非表示領域に形成されることを特徴とする請求項６に記載のタッチスクリーン一体型表示装置。
【請求項８】
前記タッチＩＣは、前記パネルの駆動モードがディスプレイ駆動モードである場合は前記複数の電極に前記共通電圧を印加し、前記パネルの駆動モードがタッチ駆動モードである場合は前記複数の電極に前記タッチスキャン信号を印加することを特徴とする請求項７に記載のタッチスクリーン一体型表示装置。
【請求項９】
前記タッチＩＣは、
前記タッチスキャン信号を生成するタッチスキャン信号生成部;
前記タッチスキャン信号によるパネル内のタッチ入力位置を感知するタッチ感知部;及び
前記パネルの駆動モードに応じて前記ディスプレイドライバＩＣと前記複数の電極を接続したり、前記タッチスキャン信号生成部及び前記タッチ感知部と前記複数の電極を接続するスイッチング部を含む請求項８に記載のタッチスクリーン一体型表示装置。
【発明の詳細な説明】
【技術分野】
【０００１】
本発明は表示装置に関するものであって、より具体的にはタッチスクリーン一体型表示装置に関するものである。
【背景技術】
【０００２】
タッチスクリーンは液晶表示装置（Ｌｉｑｕｉｄ  Ｃｒｙｓｔａｌ  Ｄｉｓｐｌａｙ）、電界放出表示装置（Ｆｉｅｌｄ  Ｅｍｉｓｓｉｏｎ  Ｄｉｓｐｌａｙ，  ＦＥＤ）、プラズマディスプレイパネル（Ｐｌａｓｍａ  Ｄｉｓｐｌａｙ  Ｐａｎｅｌ，  ＰＤＰ）、ＥＬ表示装置（Ｅｌｅｃｔｒｏｌｕｍｉｎｅｓｃｅｎｃｅ  Ｄｅｖｉｃｅ，  ＥＬ）、電気泳動表示装置などのような画像表示装置に設けられ、使用者が画像表示装置を見ながらタッチスクリーン内のタッチセンサを加圧して(押す、または、触れる)、所定の情報を入力する入力装置の一種である。
【０００３】
上述した表示装置に用いられるタッチスクリーンはその構造によってアドオン型（ａｄｄ−ｏｎ  ｔｙｐｅ）、オンセル型（ｏｎ−ｃｅｌｌ  ｔｙｐｅ）及びインセル型（ｉｎ−ｃｅｌｌ  ｔｙｐｅ）に区分される。アドオン型は表示装置とタッチスクリーンを個別に製造した後、表示装置の上板にタッチスクリーンを接着する方式である。オンセル型は表示装置の上部ガラス基板表面にタッチスクリーンを構成する素子を直接形成する方式である。インセル型は表示装置内部にタッチスクリーンを内蔵して表示装置の薄型化を達成し耐久性を高めることができる方式である。
【０００４】
しかし、アドオン型タッチスクリーンは表示装置上に完成されたタッチスクリーンが装着される構造であるため厚みがあり、表示装置の輝度が下がり視認性が低下する問題がある。また、オンセル型タッチスクリーンは表示装置の上面に別途のタッチスクリーンが形成された構造であって、アドオン型より厚さを減らすことはできるが、依然としてタッチスクリーンを構成する駆動電極と感知電極及びこれらを絶縁するための絶縁層によって全体の厚さや工程数が増加し、製造コストが増加する問題があった。
【０００５】
一方、インセル型タッチスクリーンは耐久性の向上と薄型化が可能であるという点でアドオン型やオンセル型のタッチスクリーンによって発生する問題を解決できるという長所がある。このようなインセル型タッチスクリーンは光学式及び静電容量方式のタッチスクリーンに区分することができる。
【０００６】
光学式タッチスクリーンは表示装置の薄膜トランジスタ（ＴＦＴ）アレイ基板に光感知層を形成し、バックライトユニットからの光や赤外光を用いて、触れられた部分に存在する物体から反射された光を感知する方式である。しかし、光学式タッチスクリーンは周囲環境が暗い場合には比較的安定した駆動性能を示すが、周囲環境が明るい場合には反射された光よりも強い光がノイズとして作用するようになる。実際の接触によって反射される光の強度は非常に低いため、外部が少しだけ明るくても接触の感知にエラーが発生しうるためである。特に、光学式タッチスクリーンは、周囲環境が太陽光に対して露出されている場合には光の強度が非常に高いため、場合によっては接触を感知することができない場合も発生しうるという問題がある。
【０００７】
静電容量方式タッチスクリーンは自己キャパシタンス方式（ｓｅｌｆ  ｃａｐａｃｉｔａｎｃｅ  ｔｙｐｅ）と相互キャパシタンス方式（ｍｕｔｕａｌ  ｃａｐａｃｉｔａｎｃｅ  ｔｙｐｅ）に区分することができる。相互キャパシタンス方式タッチスクリーンは共通電極を分割し、これを駆動電極と感知電極に分けて駆動電極と感知電極の間に相互キャパシタンス（ｍｕｔｕａｌ  ｃａｐａｃｉｔａｎｃｅ）が形成されるようにすることによって、接触時に発生する相互キャパシタンスの変化量を測定して接触を感知する方法である。
【０００８】
しかし、相互キャパシタンス方式タッチスクリーンは接触の感知時に発生する相互キャパシタンスが非常に小さい一方、表示装置を構成するゲートラインとデータライン間の寄生容量（ｐａｒａｓｉｔｉｃ  ｃａｐａｃｉｔａｎｃｅ）は非常に大きいため、触れられた位置を正確に感知することが困難であるという問題がある。また、相互キャパシタンス方式タッチセンサは共通電極上にタッチ駆動のための多数のタッチ駆動ラインとタッチ感知のための多数のタッチ感知ラインを形成しなければならないため、非常に複雑な配線構造が必要となるという問題がある。
【０００９】
また、相互キャパシタンス方式タッチスクリーンは接触を感知するためにタッチ駆動ラインとタッチ感知ラインを個別にスキャンしなければならないため、総スキャン数はタッチ駆動ラインの数とタッチ感知ラインの数を乗じた値になる。例えば、タッチ駆動ラインとタッチ感知ラインがそれぞれ１０本である小型表示装置用タッチスクリーンにおいても少なくとも１００回以上のスキャンをしなければならない。タッチスクリーンが内蔵されたインセル型タッチスクリーンの場合、非常に短時間でタッチ駆動をしなければならないため非常に小さいサイズの表示装置でのみ適用することが可能であるという制限があった。
【００１０】
従って、上述した種類のタッチセンサによる問題を解決できる自己キャパシタンス方式（ｓｅｌｆ  ｃａｐａｃｉｔａｎｃｅ  ｔｙｐｅ）のインセル型（ｉｎ−ｃｅｌｌ  ｔｙｐｅ）のタッチスクリーン一体型表示装置が必要とされている。
【発明の概要】
【発明が解決しようとする課題】
【００１１】
本発明は上述した従来の問題を解決するためのものであって、タッチ感知素子を表示装置の内部に形成して厚さを低下させ、耐久性を向上させた自己キャパシタンス方式インセル型タッチスクリーン一体型表示装置を提供するためのものである。
【課題を解決するための手段】
【００１２】
上述した目的を達成するための本発明の一実施例によるタッチスクリーン一体型表示装置は、複数の電極及び前記複数の電極に共通電圧を印加するディスプレイドライバＩＣを含むパネル;タッチスキャン信号を生成して前記ディスプレイドライバＩＣに印加するタッチＩＣ;前記複数の電極を前記ディスプレイドライバＩＣに第１方向に接続する複数の第１接続配線;及び前記複数の電極それぞれと接続され、前記第１方向と反対方向である第２方向に延長されて前記パネルの終端に接している複数の第２接続配線を含み、前記ディスプレイドライバＩＣは、前記パネルの駆動モードに応じて前記複数の第１接続配線を通じて前記複数の電極に前記共通電圧または前記タッチスキャン信号を印加することを特徴とする。
【００１３】
上述した目的を達成するための本発明の一実施例によるタッチスクリーン一体型表示装置は、複数の電極及びディスプレイドライバＩＣを含むパネル;タッチスキャン信号を生成して前記複数の電極に印加するタッチＩＣ;前記複数の電極を前記タッチＩＣに第１方向に接続する複数の第１接続配線;及び前記複数の電極それぞれと接続され、前記第１方向と反対方向である第２方向に延長されて前記パネルの終端に接している複数の第２接続配線を含み、前記ディスプレイドライバＩＣは前記タッチＩＣに共通電圧を印加し、前記タッチＩＣは前記パネルの駆動モードに応じて前記複数の第１接続配線を通じて上記複数の電極に上記共通電圧または前記タッチスキャン信号を印加することを特徴とする。
【発明の効果】
【００１４】
本発明の多様な実施例によると、接触を感知するためのタッチ感知素子を表示装置の内部に形成することによって厚さを低下し、耐久性を向上させることができる。
【００１５】
本発明の多様な実施例によると、接触を感知するためのタッチ駆動ラインとタッチ感知ラインを個別に構成する必要がないため、信号ラインの数を減らすことによって配線構造を簡単にすることができ、総スキャン数を減らすことができる。
【００１６】
本発明の多様な実施例によると、複数の電極を１つに連結する接続配線を備えることによってタッチ感知素子の弱い静電気特性を補償することができ、これによって歩留まりの向上に寄与することができる。
【図面の簡単な説明】
【００１７】
【図１】本発明の一実施例によるタッチスクリーン一体型表示装置の構成を示した図面である。
【図２】本発明の一実施例によるディスプレイドライバＩＣとタッチＩＣの接続関係を詳細に示した図面である。
【図３】本発明の他の実施例によるタッチスクリーン一体型表示装置の構成を示した図面である。
【図４】本発明の他の実施例によるディスプレイドライバＩＣとタッチＩＣの接続関係を詳細に示した図面である。
【図５】本発明の多様な実施例によるタッチスクリーン一体型表示装置のディスプレイ駆動とタッチ駆動に関する信号のタイミング図である。
【発明を実施するための形態】
【００１８】
以下では、添付される図面を参照しながら本発明の多様な実施例について詳細に説明する。
【００１９】
一方、以下では、説明の便宜上本発明の複数の実施例によるタッチスクリーン一体型表示装置の一例として液晶表示装置（ＬＣＤ）が記載されている。しかし、本発明はこれに限定されずに、電界放出表示装置、プラズマディスプレイパネル、ＥＬ表示装置、電気泳動表示装置など多様な表示装置に適用されることができる。また、液晶表示装置の一般的な構成に関する説明は省略することにする。
【００２０】
図１は、本発明の一実施例によるタッチスクリーン一体型表示装置の構成を示した図面であり、図２は、本発明の一実施例によるディスプレイドライバＩＣとタッチＩＣの接続関係を詳細に示した図面である。
【００２１】
本発明の一実施例によるタッチスクリーン一体型表示装置は図１に示すように、ディスプレイドライバＩＣ２００を含んでいるパネル１００及びタッチＩＣ３００を含む。
【００２２】
まず、パネル１００はタッチスクリーン(図示せず)が内蔵されている表示領域１１０とディスプレイドライバＩＣ２００が形成されている非表示領域１２０に区分されており、ここで、タッチスクリーンは使用者が触れた位置を感知するものであって、特に、本発明に適用されるタッチスクリーンはディスプレイ駆動及びタッチ駆動を時間的に分割して駆動する自己キャパシタンス方式のインセル型タッチスクリーンである。
【００２３】
パネル１００は２枚の基板間に液晶層が形成されるように構成することができる。この場合、パネル１００の下部基板には複数のゲートライン、ゲートラインと交差する複数のデータライン、データラインとゲートラインの交差部に形成されるピクセル、各ピクセル内に形成された複数のＴＦＴ（Ｔｈｉｎ  Ｆｉｌｍ  Ｔｒａｎｓｉｓｔｏｒ）が配置される。ここで、ピクセルは、データラインとゲートラインの交差構造によってマトリックス型に配置される。
【００２４】
また、パネル１００は複数の電極１１１と複数の接続配線１３０、１４０を含んでいる。
【００２５】
ここで、複数の電極１１１はパネル１００の表示領域１１０内に形成され、複数のピクセル電極と重なるように形成されている。即ち、複数の電極１１１はピクセル毎に形成されているものではなく、表示領域１１０において複数のピクセルと重なるように形成されている。
【００２６】
このような電極１１０はディスプレイ駆動期間の間は各ピクセル内に形成されているピクセル電極とともに液晶を駆動する共通電極として動作し、タッチ駆動期間の間はタッチＩＣ３００から印加されるタッチスキャン信号によって、触れられた位置を感知するタッチ電極として動作する。
【００２７】
複数の接続配線は複数の第１接続配線１３０及び複数の第２接続線１４０に区分されており、複数の第１接続配線１３０は複数の電極をディスプレイドライバＩＣ２００に第１方向に接続し、複数の第２接続配線１４０は複数の電極それぞれと接続され、第１方向と反対方向である第２方向に延長されている。
【００２８】
例えば、図１に示すように、複数の第１接続配線１３０は複数の電極１１１とディスプレイドライバＩＣ２００を接続し、ディスプレイドライバＩＣ２００から出力された共通電圧及びタッチスキャン信号がそれぞれの配線を通じて複数の電極１１１に印加されるようになっている。
【００２９】
特に、複数の第２接続配線１４０はパネル１００とパネル１００の終端で接するようになっていてもよい。
【００３０】
このように、複数の第２接続配線１４０がパネル１００の終端でパネルと接している場合、次のような効果を確認できる。例えば、第２接続配線１４０なしでただ複数の第１接続配線１３０がディスプレイドライバＩＣ２００と接続されている場合、 複数の第１接続配線１３０はディスプレイドライバＩＣ２００に付着される以前には全てフローティング（ｆｌｏａｔｉｎｇ）状態になるため静電気に非常に弱い。これを解決するために、パネルの上部、即ち、ディスプレイドライバＩＣ２００の付着と反対方向に、複数の第２接続配線１４０を複数の電極それぞれに追加に接続した後パネル１００の終端に接するように接続すると、複数の第１接続配線１３０で発生できる静電気不良を防止できる。ここで上述したパネルの終端にはショートバー（Ｓｈｏｒｔｉｎｇ  ｂａｒ）が形成されていることができ、この場合複数の第２接続配線１４０はパネルの終端でショートバーに接続されるようになる。
【００３１】
次に、ディスプレイドライバＩＣ２００はパネル１００の駆動モードに応じて、複数の第１接続配線１３０を通じて複数の電極１１１に共通電圧を印加したり、タッチスキャン信号を印加する。
【００３２】
即ち、パネル１００の駆動モードがディスプレイ駆動モードであるときは、ディスプレイドライバＩＣ２００は複数の電極に共通電圧を印加することでパネル１００がディスプレイ駆動を行うようにし、パネルの駆動モードがタッチ駆動モードであるときは、ディスプレイドライバＩＣ２００は複数の電極にタッチスキャン信号を印加することでパネル１００がタッチ駆動を行うようにする。
【００３３】
特に、パネルの駆動モードがタッチ駆動モードの場合には、ディスプレイドライバＩＣ２００はパネル１００内の電極を複数のグループに分割してタッチスキャン信号をグループ毎に順次印加するようになっていてもよい。
【００３４】
例えば、パネル１００の電極が２つのグループに分割されている場合、ディスプレイドライバＩＣ２００はディスプレイ駆動モードの間はパネル１００の全ての電極に共通電圧を印加し、タッチ駆動モードの間はタッチスキャン信号を第１グループと第２グループに順次印加するようになっていてもよい。
【００３５】
また、ディスプレイドライバＩＣ２００は図２に示されたように、複数の電極１１１を共通電極またはタッチ電極として駆動させるためのものであって、共通電圧生成部２１０、同期信号生成部２２０及びスイッチング部２３０を含んで構成するようになっていてもよい。
【００３６】
共通電圧生成部２１０は共通電圧Ｖｃｏｍを生成してスイッチング部２３０に共通電圧Ｖｃｏｍを印加する。即ち、パネルの駆動モードがディスプレイ駆動モードであるときは、映像出力のために複数の電極に印加される共通電圧Ｖｃｏｍを生成し、スイッチング部２３０に共通電圧Ｖｃｏｍをに印加する。
【００３７】
同期信号生成部２２０は、ディスプレイ駆動モードまたはタッチ駆動モードを示す同期信号を生成する。
【００３８】
例えば、ディスプレイ駆動モードまたはタッチ駆動モードに応じて共通電圧生成部２１０で生成された共通電圧Ｖｃｏｍがスイッチング部２３０を通じて複数の電極１１１に印加されるようにしたり、タッチスキャン信号が複数の電極１１１に印加されるようにする同期信号を生成する。
【００３９】
スイッチング部２３０は同期信号に応じて共通電圧生成部２１０と複数の電極１１１を接続したり、タッチＩＣ３００と複数の電極１１１を接続するようになっている。
【００４０】
例えば、複数のスイッチング部２３０は共通電圧生成部２１０またはタッチＩＣ３００と複数の電極１１１を接続することができ、同期信号生成部２２０の同期信号がディスプレイ駆動モードを指示する同期信号である場合には共通電圧生成部２１０と複数の電極１１１を接続し、同期信号がタッチ駆動モードを指示する同期信号である場合にはタッチＩＣ３００と複数の電極１１１を接続するようになっていてもよい。
【００４１】
最後に、タッチＩＣ３００はディスプレイドライバＩＣ２００を通じて複数の電極１１１にタッチスキャン信号を印加させた後、電極のキャパシタンスの変化を検出して、各電極に対する接触の有無を決定するようになっている。
【００４２】
例えば、図２に示されたように、本発明の一実施例によるタッチＩＣ３００は接触の感知のために複数の電極に供給されるタッチスキャン信号を生成するタッチスキャン信号生成部３１０を含むようになっていてもよい。タッチスキャン信号はタッチ駆動電圧であってもよく、上記タッチ駆動電圧はディスプレイ駆動のためにパネル１００の複数の電極に印加される共通電圧よりも大きい値を有するようになっていてもよい。この場合、タッチ駆動電圧は共通電圧と同じ電圧を低レベル電圧として有し、それより大きい電圧を高レベル電圧として有するようになっていてもよい。ここで、タッチスキャン信号生成部３１０はディスプレイドライバＩＣ２００のスイッチング部２３０を通じて複数の電極１１１と接続されている。
【００４３】
また、タッチＩＣ３００はパネル１００内の複数の電極１１１からタッチスキャン信号に応じてタッチ感知信号を受信して接触座標を演算し、使用者による接触入力位置を感知するタッチ感知部(320)を含むようになっていてもよい。演算された接触座標は表示装置のシステム部に送信され、パネル１００で発生する使用者による接触座標を感知するのに使用されるようになっていてもよい。
【００４４】
ここで、タッチ感知部３２０はディスプレイドライバＩＣ２００内のスイッチング部２３０を通じて複数の電極１１１と接続されている。
【００４５】
以下では、本発明のタッチスクリーン一体型表示装置の他の実施例に関して図３及び図４を詳細に説明する。
【００４６】
図３は、本発明のタッチスクリーン一体型表示装置の他の実施例の構成を示した図面であり、図４は、本発明の他の実施例によるディスプレイドライバＩＣとタッチＩＣの接続関係を詳細に示した図面である。
【００４７】
本発明の一実施例によるタッチスクリーン一体型表示装置は図３に示されたように、ディスプレイドライバＩＣ２００を含んでいるパネル１００及びタッチＩＣ３００を含む。
【００４８】
まず、パネル１００はタッチスクリーン(図示せず)が内蔵されている表示領域１１０とディスプレイドライバＩＣ２００が形成されている非表示領域１２０に区分されており、ここで、タッチスクリーンは使用者が触れた位置を感知するものであって、特に本発明に適用されるタッチスクリーンはディスプレイ駆動及びタッチ駆動を時間的に分割して駆動する自己キャパシタンス式のインセル型タッチスクリーンである。
【００４９】
パネル１００は２枚の基板間に液晶層が形成されるように構成することができる。この場合、パネル１００の下部基板には複数のゲートライン、ゲートラインと交差する複数のデータライン、データラインとゲートラインの交差部に形成される複数のピクセル、各ピクセル内に形成された複数のＴＦＴ（Ｔｈｉｎ  Ｆｉｌｍ  Ｔｒａｎｓｉｓｔｏｒ）が配置される。ここで、ピクセルは、データラインとゲートラインの交差構造によってマトリックス型に配置される。
【００５０】
また、パネル１００は複数の電極１１１と複数の接続配線１３０、１４０を含んでいる。
ここで、複数の電極１１１はパネル１００の表示領域１１０に形成されて複数のピクセル電極と重なるように形成されている。即ち、複数の電極１１１はピクセル毎に形成されているものではなく、表示領域１１０において複数のピクセルと重なるようにに形成されている。
【００５１】
このような電極１１０はディスプレイ駆動期間の間は各ピクセル内に形成されているピクセル電極とともに液晶を駆動する共通電極として動作し、タッチ駆動期間の間はタッチＩＣ３００から印加されるタッチスキャン信号によって、触れられた位置を感知するタッチ電極として動作する。
【００５２】
複数の接続配線は複数の第１接続配線１３０及び複数の第２接続配線１４０に区分されており、複数の第１接続配線１３０は複数の電極をタッチＩＣ３００に第１方向に接続し、複数の第２接続配線１４０は複数の電極それぞれと接続され、第１方向と反対方向である第２方向に延長されている。
【００５３】
例えば、図３に示すように、複数の第１接続配線１３０は複数の電極１１１とタッチＩＣ３００を接続し、タッチＩＣ３００から出力された共通電圧及びタッチスキャン信号がそれぞれの配線を通じて複数の電極１１１に印加されるようになっている。
【００５４】
特に、複数の第２接続配線１４０はパネル１００とパネル１００の終端で接するようになっていてもよい。
【００５５】
このように、複数の第２接続配線１４０がパネル１００の終端でパネルと接している場合、次のような効果を確認できる。例えば、第２接続配線１４０なしでただ複数の第１接続配線１３０がタッチＩＣ３００と接続されている場合、 複数の第１接続配線１３０はタッチＩＣ３００に付着される以前には全てフローティング（ｆｌｏａｔｉｎｇ）状態になるため静電気に非常に弱い。これを解決するために、パネルの上部、即ち、タッチＩＣ３００の付着と反対方向に、複数の第２接続配線１４０を複数の電極それぞれに追加に接続した後パネル１００の終端に接するように接続すると、複数の第１接続配線１３０で発生できる静電気不良を防止できる。ここで上述したパネルの終端にはショートバー（Ｓｈｏｒｔｉｎｇ  ｂａｒ）が形成されていることができ、この場合複数の第２接続配線１４０はパネルの終端でショートバーに接続されるようになる。
【００５６】
次に、ディスプレイドライバＩＣ２００は図４に示すように、共通電圧を生成してタッチＩＣ３００に印加する共通電圧生成部２１０を含むようにしてもよい。
【００５７】
ここで、共通電圧生成部２１０は共通電圧Ｖｃｏｍを生成してタッチＩＣ３００に共通電圧Ｖｃｏｍを印加する。即ち、パネル１００の駆動モードがディスプレイ駆動モードであるときは、映像出力のために複数の電極に印加される共通電圧Ｖｃｏｍを生成してタッチＩＣ３００に共通電圧Ｖｃｏｍを印加する。
【００５８】
最後に、タッチＩＣ３００はパネル１００の駆動モードに応じて複数の第１接続配線１３０を通じて複数の電極１１１に共通電圧またはタッチスキャン信号を印加する。
【００５９】
即ち、パネルの駆動モードがディスプレイ駆動モードであるときは、タッチＩＣ３００はディスプレイドライバＩＣ２００から送信された共通電圧を複数の電極１１１に印加してパネル１００がディスプレイ駆動を行うようにし、パネル１００の駆動モードがタッチ駆動モードであるときは、タッチＩＣ３００は生成されたタッチスキャン信号を複数の電極に印加してパネル１００がタッチ駆動を行うようにする。
【００６０】
特に、パネル１００の駆動モードがタッチ駆動モードの場合には、タッチＩＣ３００はパネル１００内の電極を複数のグループに分割してタッチスキャン信号をグループ毎に順次印加するようになっていてもよい。
【００６１】
例えば、パネル１００の電極が２つのグループに分割されている場合、タッチＩＣ３００はディスプレイ駆動モードの間はパネル１００の全ての電極に共通電圧を印加し、タッチ駆動モードの間はタッチスキャン信号を第１グループと第２グループに順次印加するようになっていてもよい。
【００６２】
タッチＩＣ３００は複数の電極１１１にタッチスキャン信号を印加させた後、電極１１１のキャパシタンスの変化を検出して各電極に対する接触の有無を決定するようになっている。
【００６３】
例えば、図４に示されたように、本発明の一実施例によるタッチＩＣ３００は接触を感知するためにパネル１００の複数の電極に供給されるタッチスキャン信号を生成するタッチスキャン信号生成部３１０を含むようになっていてもよい。タッチスキャン信号はタッチ駆動電圧であってもよく、上記タッチ駆動電圧はディスプレイ駆動のためにパネル１００の複数の電極に印加される共通電圧よりも大きい値を有するようになっていてもよい。この場合、タッチ駆動電圧は共通電圧と同じ電圧を低レベル電圧として有し、それより大きい電圧を高レベル電圧として有するようになっていてもよい。ここで、タッチスキャン信号生成部３１０はスイッチング部３３０を通じて複数の電極１１１と接続されている。
【００６４】
また、タッチＩＣ３００はパネル１００内の複数の電極１１１からタッチスキャン信号に応じてタッチ感知信号を受信して接触座標を演算し、使用者による接触入力位置を感知するタッチ感知部３２０を含むようになっていてもよい。演算された接触座標は表示装置のシステム部に伝達され、パネル１００で発生する使用者による接触座標を感知するために使用されるようになっていてもよい。
【００６５】
ここで、タッチ感知部３２０はスイッチング部３３０を通じて複数の電極１１１と接続されている。
【００６６】
スイッチング部３３０はパネル１００の駆動モードに応じてディスプレイドライバＩＣ２００内の共通電圧生成部２１０と複数の電極１１１を接続したり、タッチスキャン信号生成部３１０及びタッチ感知部３２０と複数の電極１１１を接続するようになっている。
【００６７】
上述したようなタッチスクリーン一体型表示装置の多様な駆動方法に関して図５を参照しながら説明する。
【００６８】
図５は、本発明の多様な実施例によるタッチスクリーン一体型表示装置のディスプレイ駆動とタッチ駆動に関する信号のタイミング図である。
【００６９】
まず、図５に示すように、１フレーム間において、パネル１００の駆動モードがディスプレイ駆動モードの場合には共通電圧を複数の電極に印加することによりパネル１００はディスプレイ駆動を行うようになり、パネル１００の駆動モードがタッチ駆動モードの場合にはタッチスキャン信号を複数の電極に印加することによりパネルはタッチ駆動を行うようになる。
【００７０】
本発明の属する技術分野の当業者は上述した本発明がその技術的思想や必須的特徴を変更せず、他の具体的な形態で実施できるということを理解することができる。
【００７１】
したがって、以上で記述した実施例は全ての面で例示されたものであり、限定的でないものと理解すべきである。本発明の範囲は、上記の詳細な説明よりは後述する特許請求の範囲により表れるものであり、特許請求の範囲の意味及び範囲、そしてその等価概念から導き出される全ての変更または変形された形態が本発明の範囲に含まれるものと解釈されなければならない。
【符号の説明】
【００７２】
１００  パネル
１１０  表示領域
１１１  電極
１２０  非表示領域
１３０  第１接続配線
１４０  第２接続配線
２００  ディスプレイドライバＩＣ
２１０  共通電圧生成部
２２０  同期信号生成部
２３０  スイッチング部
３００  タッチＩＣ
３１０  タッチスキャン信号生成部
３２０  タッチ感知部
３３０  スイッチング部
【図１】
2014164752.tif 000003
【図２】
2014164752.tif 000004
【図３】
2014164752.tif 000005
【図４】
2014164752.tif 000006
【図５】
2014164752.tif 000007